(57)【要約】【課題】本発明は、発光装置作用時、蛍光層上に非発光領域が現れないようにして輝度均一度を高めながら、拡散板による光損失を最小化できる発光装置、およびこの発光装置を光源として用いる表示装置を提供する。【解決手段】本発明の発光装置は、対向配置される第１基板および第２基板と、電子放出素子を備え、第１基板の一面に位置される電子放出ユニットと、第２基板の一面に位置される発光ユニットを含む。電子放出素子は互いに距離をおいて位置される第１電極と、第１電極の間で第１電極と平行に位置される第２電極と、第２電極に向かった第１電極の側面に位置される第１電子放出部を含む。第１電極と第２電極は第１基板の水平方向および垂直方向のうち、いずれか一方向に対して傾いて位置される。【選択図】図１
2010010120.tif 000002
【特許請求の範囲】
【請求項１】
対向配置される第１基板および第２基板と、
前記第１基板の一面に位置されて互いに間隔をおいて位置される複数の第１電極、前記第１電極の間で前記第１電極と平行に位置される複数の第２電極、前記第２電極に向かった前記第１電極の側面に位置される第１電子放出部を含む電子放出素子を含む電子放出ユニットと、
前記第２基板の一面に位置しながら可視光を放出する発光ユニットを含み、
前記第１電極と前記第２電極が前記第１基板の水平方向および垂直方向のうち、いずれか一方向に対して傾いて位置されることを特徴とする発光装置。
【請求項２】
前記水平方向と前記垂直方向のうち、いずれか一方向に対する前記第１電極および前記第２電極の傾斜角が１０°乃至８０°であることを特徴とする請求項１に記載の発光装置。
【請求項３】
前記第１電極の端部に位置されて前記第１電極を電気的に連結させる第１連結部と、前記第２電極の端部に位置されて前記第２電極を電気的に連結させる第２連結部を含むことを特徴とする請求項１に記載の発光装置。
【請求項４】
前記第１連結部が前記水平方向と平行する第１水平部および前記垂直方向と平行する第１垂直部を含み、
前記第２連結部が前記第１電極および前記第２電極を間において前記第１水平部に対向配置される第２水平部と、前記第１電極および前記第２電極を間において前記第１垂直部に対向配置される第２垂直部を含むことを特徴とする請求項３に記載の発光装置。
【請求項５】
前記電子放出素子、前記第１連結部および前記第２連結部を複数に備え、
前記水平方向と前記垂直方向のうち、いずれか一方向に沿って前記第１連結部の間に位置されて、前記第１連結部を電気的に連結させる第１配線と、前記水平方向と前記垂直方向のうち、他方に沿って前記第２連結部の間に位置されて、前記第２連結部を電気的に連結させる第２配線を含むことを特徴とする請求項３に記載の発光装置。
【請求項６】
前記第１配線と前記第２配線が交差する領域毎に、前記第１配線と前記第２配線の間に位置される絶縁膜を含むことを特徴とする請求項５に記載の発光装置。
【請求項７】
前記電子放出素子が前記第１電極に向かった前記第２電極の側面に形成される第２電子放出部を含むことを特徴とする請求項１乃至６のうち、いずれか一つに記載の発光装置。
【請求項８】
前記第１電極と前記第２電極が第１期間で各々走査駆動電圧とデータ駆動電圧の印加を受け、第２期間で各々データ駆動電圧と走査駆動電圧の印加を受けることを特徴とする請求項７に記載の発光装置。
【請求項９】
映像を表示する表示パネルと、
前記表示パネルに光を提供する発光装置を含み、
前記発光装置が、
対向配置される第１基板および第２基板と、
前記第１基板の一面に位置し、互いに間隔をおいて位置される第１電極、前記第１電極の間で前記第１電極と平行に位置される第２電極と、前記第２電極に向かった前記第１電極の側面に位置される第１電子放出部を含む電子放出素子と、を含む電子放出ユニットと、
前記第２基板の一面に位置されて可視光を放出する発光ユニットを含み、
前記第１電極と前記第２電極が前記発光装置の水平方向および垂直方向のうち、いずれか一方向に対して傾いて位置されることを特徴とする表示装置。
【請求項１０】
前記水平方向と前記垂直方向のうち、いずれか一方向に対する前記第１電極および前記第２電極の傾斜角が１０°乃至８０°であることを特徴とする請求項９に記載の表示装置。
【請求項１１】
前記第１電極の端部に位置されて前記第１電極を電気的に連結させる第１連結部と、前記第２電極の端部に位置されて前記第２電極を電気的に連結させる第２連結部を含むことを特徴とする請求項９に記載の表示装置。
【請求項１２】
前記電子放出素子が、前記第１連結部および前記第２連結部を複数に具備し、
前記水平方向と前記垂直方向のうち、いずれか一方向に沿って配列された前記第１連結部の間に位置されて前記第１連結部を電気的に連結させる第１配線と、前記水平方向と前記垂直方向のうち、他方に沿って第２連結部の間に位置されて前記第２連結部を電気的に連結させる第２配線を含むことを特徴とする請求項１１に記載の表示装置。
【請求項１３】
前記電子放出素子が前記第１電極に向かった前記第２電極の側面に形成される第２電子放出部を含むことを特徴とする請求項９乃至１２のうち、いずれか一つに記載の表示装置。
【請求項１４】
前記第１電極と前記第２電極が第１期間で各々走査駆動電圧とデータ駆動電圧の印加を受け、第２期間で各々データ駆動電圧と走査駆動電圧の印加を受けることを特徴とする請求項１３に記載の表示装置。
【請求項１５】
前記表示パネルが第１画素を形成し、前記発光装置が前記各々の電子放出素子に対応しながら前記第１画素より少ない数の第２画素を形成し、前記第２画素が対応する第１画素の階調に対応して独立的に発光することを特徴とする請求項９に記載の表示装置。
【請求項１６】
前記表示パネルが液晶表示パネルであることを特徴とする請求項９に記載の表示装置。
【発明の詳細な説明】
【技術分野】
【０００１】
本発明は、発光装置およびこの発光装置を光源として用いる表示装置に関し、より詳しくは発光装置の内部に備えられて蛍光層に向かって電子を放出する電子放出素子に関するものである。
【背景技術】
【０００２】
外部から見て光が射出されることが認識できる全ての装置を発光装置というと、前面基板にアノード電極と蛍光層を備え、後面基板に複数の電子放出素子を備えた発光装置が公知されている。前面基板と後面基板は封止部材によって周縁が一体に接合され、内部空間が排気されて封止部材と共に真空パネルを構成する。
【０００３】
例えば、電子放出素子は互いに間隔をおいて位置される複数のカソード電極と、カソード電極の間でカソード電極と平行に位置される複数のゲート電極と、ゲート電極に向かったカソード電極の側面に形成される電子放出部とで構成できる。
【０００４】
発光装置はカソード電極とゲート電極に所定の駆動電圧を印加して電子放出部から電子を放出させ、この電子で蛍光層を励起して可視光を放出させる。発光装置は電子放出素子別に電子放出量を制御して、各電子放出素子に対応する画素の輝度を独立的に制御する。このような発光装置は、液晶表示パネルのような非自発光型表示パネルを備える表示装置の光源として用いられる。
【０００５】
しかし、従来の発光装置において、後面基板が略四角形状で形成されてカソード電極とゲート電極が帯状パターンを有して後面基板の横方向と縦方向のうちいずれか一方向に沿って形成される場合、電子放出部から生成された電子ビームは前記方向の垂直方向に沿って広がり現象を起こす可能性がある。これにより発光装置が作用する時、蛍光層の中で発光が起こらない非発光領域が表示される。
【０００６】
つまり、カソード電極とゲート電極が後面基板の縦方向に沿って帯状パターンで形成される場合を仮定すると、電子放出部でゲート電極に向かう横方向に電子ビームの広がりが発生する。これによって横方向に沿って隣接する２つの電子放出素子の間には非発光領域が現れないが、垂直方向に沿って隣接する２つの電子放出素子の間には非発光領域が現れる。
【０００７】
このような非発光領域により従来の発光装置は低い輝度均一度を有するようになる。従って、従来の発光装置は真空パネルの前方、つまり、真空パネルと表示パネルとの間に複数の拡散板を備えて発光装置の輝度均一度を高めている。しかし、この場合には複数の拡散板により光損失が生じ、表示パネルに到達する光量が低下するため、発光装置の効率（輝度／消費電力）が低下される。
【発明の開示】
【発明が解決しようとする課題】
【０００８】
本発明の目的は、発光装置作用時に蛍光層上に非発光領域が現れないようにして、輝度均一度を高めると共に拡散板による光損失を最小化できる発光装置、およびこの発光装置を光源として用いる表示装置を提供することである。
【課題を解決するための手段】
【０００９】
本発明の第１実施形態による発光装置は、対向配置される第１基板および第２基板と、第１基板の一面に位置され電子放出素子を備えた電子放出ユニットと、第２基板の一面に位置され可視光を放出させる発光ユニットとを含む。電子放出素子は互いに間隔をおいて位置される第１電極と、第１電極の間で第１電極と平行に位置される第２電極と、第２電極に向かった第１電極の側面に位置される第１電子放出部とを含む。第１電極と第２電極は、第１基板の水平方向および垂直方向のうち、いずれか一方向に対して傾いて位置される。
【００１０】
発光装置の水平方向と垂直方向のうち、いずれか一方向に対する第１電極と第２電極の傾斜角は１０°乃至８０°に設定される。
【００１１】
発光装置は第１電極の端部に位置されて第１電極を電気的に連結させる第１連結部と、第２電極の端部に位置されて第２電極を電気的に連結させる第２連結部をさらに含むことができる。
【００１２】
第１連結部は水平方向と平行する第１水平部および垂直方向と平行する第１垂直部を含むことができる。第２連結部は第１電極および第２電極を間において第１水平部に対向配置される第２水平部と、第１電極および第２電極を間において第１垂直部に対向配置される第２垂直部を含むことができる。
【００１３】
発光装置は電子放出素子、第１連結部および第２連結部を複数に備え、発光装置の水平方向と垂直方向のうち、いずれか一方向に沿って第１連結部の間に第１連結部を電気的に連結させる第１配線が位置されることができ、水平方向と垂直方向のうち、他方向に沿って第２連結部の間に第２連結部を電気的に連結させる第２配線が位置できる。第１配線と第２配線が交差する領域毎に第１配線と第２配線との間に絶縁膜が形成できる。
【００１４】
電子放出素子は第１電極に向かった第２電極の側面に形成される第２電子放出部をさらに含むことができる。この場合、第１電極と第２電極は第１期間で各々走査駆動電圧とデータ駆動電圧の印加を受け、第２期間で各々データ駆動電圧と走査駆動電圧の印加を受ける。
【００１５】
本発明の第２実施形態による表示装置は、映像を表示する表示パネルと、表示パネルに光を提供する前記構成の発光装置とを含む。
【００１６】
表示パネルが第１画素を形成する時、発光装置は各々の電子放出素子に対応すると共に第１画素より少ない数の第２画素を形成でき、第２画素は対応する第１画素の階調に対応して独立的に発光できる。表示パネルは液晶表示パネルでありうる。
【発明の効果】
【００１７】
本発明による発光装置は、発光装置の水平方向および垂直方向のうち、いずれか一方向に沿って隣接する電子放出素子の間に非発光領域が発生しないようにして輝度均一度を高めることができる。
【００１８】
また、発光装置と表示パネルとの間に拡散板を設置しないか、または最小限の拡散板を配置することができるため、拡散板による光損失を最少化して高輝度画面を実現することができる。
【発明を実施するための最良の形態】
【００１９】
以下、添付図を参照して、本発明の実施形態について本発明が属する技術分野で通常の知識を有する者が容易に実施できるように詳しく説明する。本発明は多様な形態に実施でき、ここで説明する実施形態に限られない。
【００２０】
図１は本発明の第１実施形態による発光装置の部分断面図であり、図２は本発明の第１実施形態による発光装置中の電子放出ユニットの部分平面図である。図１は図２のＩ-Ｉ線に沿って切断してその断面を示した断面図である。
【００２１】
図１と図２を参照すると、本実施形態の発光装置１００は所定の間隔をおいて対向配置される第１基板１２と第２基板１４を含む。第１基板１２と第２基板１４の周縁には第１、２基板１２、１４を接合させる封止部材（図示せず）が位置される。これによって第１基板１２と第２基板１４は容器を構成し、この容器は内部空間がほぼ１０-６Ｔｏｒｒの真空度に排気されて真空パネル１６を構成する。
【００２２】
第１基板１２と第２基板１４において、封止部材の内側に位置される領域は実際可視光放出に寄与する有効領域と、有効領域を囲む非有効領域とに区分できる。第１基板１２内面の有効領域には電子放出のための電子放出ユニット１８が位置され、第２基板１４内面の有効領域には可視光放出のための発光ユニット２０が位置される。本実施形態において第２基板１４は発光装置１００の前面基板になりうる。
【００２３】
電子放出ユニット１８は電子放出量が独立的に制御される複数の電子放出素子２２で構成できる。電子放出素子２２は発光装置１００の水平方向（図２のｘ軸方向）とこれと直交する垂直方向（図２のｙ軸方向）に沿って互いに間隔をおいて平行に位置される。一つの電子放出素子２２が発光装置１００の一つの画素に対応する。
【００２４】
図３は図２に示した電子放出素子の拡大斜視図である。
【００２５】
図２と図３を参照すると、各々の電子放出素子２２は互いに間隔をおいて位置される第１電極２４と、第１電極２４の間で第１電極２４と平行に位置される第２電極２６と、第２電極２６に向かった第１電極２４の側面に形成される電子放出部２８とを含む。電子放出部２８は第１電極２４の長さ方向に沿って形成され、第２電極２６と短絡されないようにこれと一定の間隔をおいて位置される。
【００２６】
第１電極２４が電子放出部２８に電流を供給するカソード電極となり、第２電極２６が電子放出を制御するゲート電極となる。
【００２７】
電子放出部２８は真空中で電界が加えられると電子を放出する物質、例えば炭素系物質またはナノメートルサイズ物質を含むことができる。例えば、電子放出部２８は炭素ナノチューブ、黒鉛、黒鉛ナノファイバー、ダイヤモンド状炭素、フラーレン、シリコンナノワイヤーおよびこれらの組み合わせの物質から選択されたいずれか一つを含むことができる。
【００２８】
一方、電子放出部２８はカーバイド誘導炭素を含むことができる。カーバイド誘導炭素はカーバイド化合物をハロゲン族元素含有気体と熱化学反応させて、カーバイド化合物内の炭素を除いた他の元素を抽出する過程を通して製造できる。
【００２９】
本実施形態において、第１電極２４と第２電極２６は発光装置１００の水平方向または垂直方向と平行に位置せずに水平方向および垂直方向のうちいずれか一方向に対して傾いて位置される。つまり、第１電極２４と第２電極２６は発光装置１００の水平方向と垂直方向のうちいずれか一方向、例えば水平方向（ｘ軸方向）に対して０°より大きく９０°より小さい傾斜角（α、図３参照）、つまり、鋭角をおいて位置される。この傾斜角は略１０°乃至８０°の範囲で設定される。
【００３０】
第１電極２４は各々の端部が第１連結部３０に接触されて互いに電気的に連結される。第１連結部３０は発光装置１００の水平方向と平行する第１水平部３０１と、発光装置１００の垂直方向と平行する第１垂直部３０２で構成される。第１連結部３０は図２を基準にすると、第１電極２４の右側上部端部に連結される。
【００３１】
第２電極２６は各々の端部が第１連結部に対向配置された第２連結部３２と接触されて互いに電気的に連結される。第２連結部３２は発光装置１００の水平方向と平行する第２水平部３２１と、発光装置１００の垂直方向と平行する第２垂直部３２２で構成される。第２連結部３２は図２を基準にすると、第２電極２６の左側下部端部と連結される。
【００３２】
これにより第１水平部３０１と第２水平部３２１が第１電極２４および第２電極２６を間において発光装置１００の水平方向に沿って対向配置され、第１垂直部３０２と第２垂直部３２２が第１電極２４および第２電極２６を間において発光装置１００の垂直方向に沿って対向配置される。
【００３３】
そして、発光装置１００の水平方向に沿って第１連結部３０の間に第１配線３４が備えられて、水平方向に沿って位置される電子放出素子２２の第１電極２４を電気的に連結させる。また、発光装置１００の垂直方向に沿って第２連結部３２の間に第２配線３６が備えられて、垂直方向に沿って位置される電子放出素子２２の第２電極２６を電気的に連結させる。この時、第１配線３４と第２配線３６が交差する領域毎に第１配線３４と第２配線３６との間に絶縁膜３８が形成されて、第１、２配線３４、３６の電気的短絡を防止する。
【００３４】
再び図１を参照すると、発光ユニット２０は、第２基板１４の内面に形成されるアノード電極４０と、アノード電極４０の一面に位置される蛍光層４２と、蛍光層４２を覆う金属反射膜４４を含む。
【００３５】
アノード電極４０は、蛍光層４２から放出される可視光を透過できるように酸化インジウム錫（ＩＴＯ）のような透明な導電物質で形成される。アノード電極４０は電子ビームを引きつける加速電極であり、５ｋＶ以上の正直流電圧（アノード電圧）の印加を受けて蛍光層４２を高電位状態に維持させる。
【００３６】
蛍光層４２は赤色蛍光体と緑色蛍光体および青色蛍光体が混合されて白色光を放出する混合蛍光体で形成でき、第２基板１４の有効領域全体に位置できる。
【００３７】
金属反射膜４４は数千Å厚さのアルミニウム薄膜でもよく、電子ビーム通過のための微細孔を形成する。金属反射膜４４は蛍光層４２から放出された可視光のうち、第１基板１２に向かって放出された可視光を第２基板１４側に反射させて発光装置１００の輝度を高める。
【００３８】
一方、発光ユニットは前記構成におけるアノード電極を省略し、金属反射膜でアノード電圧の印加を受けてこの金属反射膜をアノード電極として備えることもありうる。
【００３９】
前述した構造の発光装置１００は、第１配線３４と第２配線３６のうち、いずれか一つの配線に走査駆動電圧が印加され、他の一つの配線にデータ駆動電圧が印加されて、アノード電極４０と電気的に連結されたアノード配線に５ｋＶ以上のアノード電圧が印加されて駆動できる。
【００４０】
その駆動により、第１電極２４と第２電極２６の電圧差が閾値以上の電子放出素子２２（即ち、画素）で電子放出部２８周囲に電界が形成され、これによって電子放出部２８から電子（図１のｅ−と示す）が放出される。放出された電子はアノード電圧に引きつけられて対応する蛍光層４２部位に衝突することによってこれを発光させる。
【００４１】
この過程で電子は電子放出部２８の角部で第２電極２６に向かって放出された後、アノード電圧に引きつけられて第２基板１４に向かうようになるため、電子ビームが拡散する方向は第１電極２４および第２電極２６の幅方向となる。
【００４２】
図４は前述した発光装置の電子放出素子および各電子放出素子に対応する蛍光層の発光領域を示した概略図である。図４を参照すると、本実施形態において電子ビームが発散される方向は、発光装置１００の水平方向または垂直方向と一致せずに、水平方向および垂直方向に対して傾いて位置される。図４のＡ矢印は電子ビームが発散される方向を示している。
【００４３】
従って、各電子放出素子２２に対応する蛍光層の発光領域４６は、水平方向と垂直方向の間の対角方向に沿って長い楕円形で形成され、これによって発光装置１００の水平方向および垂直方向に沿って隣接する電子放出素子２２の間には非発光領域が現れなくなる。
【００４４】
つまり、本実施形態の発光装置１００は画素間で生じる可能性がある非発光領域を減らして、輝度均一度を高めることができ、その結果、真空パネル１６の前方に拡散板を設置しないか、または拡散板の数を減らして、拡散板による光損失を最少化できる。
【００４５】
この時、発光装置１００の水平方向と垂直方向のうち、いずれか一方向、例えば水平方向に対する第１電極２４と第２電極２６の傾斜角（α、図３参照）が１０°より小さかったり８０°より大きくなると、電子ビームの広がり方向のずれによる非発光領域の縮小効果が大きくないため、前記傾斜角は１０°乃至８０°範囲が望ましい。
【００４６】
一方、対角方向に沿って位置される電子放出素子２２の間に一部非発光領域が現れるが、このような非発光領域は一方向に沿って繋がらず分離されて位置するため、視認性が低くて発光装置１００の輝度均一度を大きくは低下させない。
【００４７】
図５は本発明の第２実施形態による発光装置の部分断面図であり、図６は本発明の第２実施形態による発光装置中の電子放出ユニットの部分平面図である。図５は図６のＩＩ-ＩＩ線に沿って切断してその断面を示した断面図である。
【００４８】
図５と図６を参照すると、第１電極２４の側面に位置される電子放出部２８を第１電子放出部とすると、本第２実施形態の発光装置１０１は、前述した第１実施形態の発光装置における第１電極２４に向かった第２電極２６の側面に第２電子放出部４８をさらに形成した構造で構成される。便宜上、第１実施形態と同じ構成要素については、同じ符号を付ける。図５と図６で符号１８１は電子放出ユニットを示し、符号２２１は電子放出素子を示す。
【００４９】
第１電子放出部２８と第２電子放出部４８は互いに短絡されないように所定の間隔をおいて離隔位置される。第２電子放出部４８は第２電極２６の長さ方向に沿って形成できる。
【００５０】
本第２実施形態の発光装置１０１は、第１電極２４と第２電極２６に走査駆動電圧とデータ駆動電圧が交互に繰り返し入力される駆動方式が適用できる。その駆動によると、走査駆動電圧とデータ駆動電圧中で低い電圧の印加を受ける電極がカソード電極となり、高い電圧の印加を受ける電極がゲート電極となる。
【００５１】
つまり、発光装置１０１は第１期間で第１配線３４を通して第１電極２４に走査駆動電圧の印加を受け、第２配線３６を通して第２電極２６にデータ駆動電圧の印加を受ける。また、発光装置１０１は第２期間で第２配線３６を通して第２電極２６に走査駆動電圧の印加を受け、第１配線３４を通して第１電極２４にデータ駆動電圧の印加を受ける。
【００５２】
ここで走査駆動電圧がデータ駆動電圧より高い場合、第１期間で第２電極２６がカソード電極となり、第２電子放出部４８から電子（図７のｅ−）が放出されて蛍光層４２を発光させる。そして、第２期間では第１電極２４がカソード電極となって、第１電子放出部２８から電子（図８のｅ−）が放出されて蛍光層４２を発光させる。
【００５３】
発光装置１０１は前述した第１期間と第２期間で繰り返し駆動されることによって、第１電子放出部２８と第２電子放出部４８から交互に電子を引き出せる。このような駆動方式では各電子放出部２８、４８に印加される負荷が減少するため、電子放出部２８、４８の寿命を延ばし、発光装置１０１の輝度を向上できる。
【００５４】
図９は本発明の第３実施形態による表示装置の分解斜視図である。
【００５５】
図９を参照すると、本実施形態の表示装置２００は発光装置１００と、発光装置１００の前方に位置される表示パネル５０を含む。表示装置２００は前述した第１実施形態および第２実施形態のうちのいずれか一つの発光装置を含み、図９では一例として第１実施形態の発光装置１００が適用されたことを示した。
【００５６】
発光装置１００が前述した構造の電子放出ユニットを備えて輝度均一度を改善することによって、発光装置１００と表示パネル５０との間に拡散板を備えないか、または最小限の拡散板を備えられる。図９では発光装置１００と表示パネル５０との間に一枚の拡散板５２が設けられたことを示した。拡散板５２は発光装置１００と所定の間隔をおいて位置される。
【００５７】
表示パネル５０は液晶表示パネルまたは他の非自発光表示パネルで構成される。以下、表示パネル５０が液晶表示パネルの場合について説明する。
【００５８】
図１０は図９に示した表示パネル５０の部分断面図である。図１０を参照すると、表示パネル５０は多数の薄膜トランジスター（ＴＦＴ）５４が形成された下部基板５６と、カラーフィルター層５８が形成された上部基板６０と、上下部基板６０、５６の間に注入される液晶層６２を含む。上部基板６０と下部基板５６の外面には偏光板６４、６６が各々付着されて表示パネル５０を通過する光を偏光させる。
【００５９】
下部基板５６の内面には副画素別にＴＦＴ５４によって駆動が制御される透明な画素電極６８が位置され、上部基板６０の内面には透明な共通電極７０が位置される。カラーフィルター層５８は副画素別に一つずつ位置される赤色フィルター層５８Ｒと緑色フィルター層５８Ｇおよび青色フィルター層５８Ｂを含む。
【００６０】
特定副画素のＴＦＴ５４が導通されると、画素電極６８と共通電極７０との間に電界が形成され、この電界によって液晶分子の配列角が変化し、変化された配列角により光透過度が変化される。表示パネル５０はこのような過程を通して画素別輝度と発光色を制御することができる。
【００６１】
図９の符号７２は各ＴＦＴのゲート電極にゲート駆動信号を伝送するゲート回路ボードアセンブリーを示し、符号７４は各ＴＦＴのソース電極にデータ駆動信号を伝送するデータ回路ボードアセンブリーを示す。
【００６２】
再び図９を参照すると、発光装置１００は表示パネル５０より少ない数の画素を形成して、発光装置１００の一つの画素が２つ以上の表示パネル５０画素に対応する。発光装置１００の各画素はこれに対応する複数表示パネル５０画素の階調のうちの最も高い階調に対応して発光でき、２乃至８ビットの階調を表現できる。
【００６３】
便宜上表示パネル５０の画素を第１画素、発光装置１００の画素を第２画素、一つの第２画素に対応する第１画素を第１画素群と称する。
【００６４】
発光装置１００の駆動過程は、（１）表示パネル５０を制御する信号制御部（図示せず）が第１画素群を構成する第１画素の階調のうちの最も高い階調を検出し、（２）検出された階調により第２画素発光に必要な階調を算出してこれをデジタルデータに変換し、（３）デジタルデータを利用して発光装置１００の駆動信号を生成し、（４）生成された駆動信号を発光装置１００の駆動電極に印加する段階を含むことができる。
【００６５】
発光装置１００の駆動信号は走査駆動信号とデータ駆動信号で構成される。前述した第１電極２４と第２電極２６のうち、いずれか一方の電極が走査駆動信号の印加を受け、他方の電極がデータ駆動信号の印加を受ける。
【００６６】
発光装置１００の駆動のための走査回路ボードアセンブリーとデータ回路ボードアセンブリーは発光装置１００の裏面に位置できる。例えば、図９で符号７６が第１配線とスキャン回路ボードアセンブリーを連結する第１コネクタを示し、符号７８が第２配線とデータ回路ボードアセンブリーを連結する第２コネクタを示す。そして、符号８０がアノード電極にアノード電圧を印加する第３コネクタを示す。
【００６７】
一方、第２実施形態の発光装置１０１は、第１電極２４と第２電極２６に走査駆動電圧とデータ駆動電圧を交互に繰り返し入力する駆動方式を適用できる。このために、第１電極２４は第１コネクタ７６を通して走査回路ボードアセンブリーおよびデータ回路ボードアセンブリーと連結され、第２電極２６も第２コネクタ７８を通して走査回路ボードアセンブリーおよびデータ回路ボードアセンブリーと連結される。
【００６８】
このように発光装置１００の第２画素は対応する第１画素群に映像が表示される時、第１画素群に同期されて所定の階調に発光する。つまり、発光装置１００は表示パネル５０が実現する画面の中で明るい領域には高い輝度の光を提供し、暗い領域には低い輝度の光を提供する。従って、本実施形態の表示装置２００は画面のコントラスト比を高め、より鮮明な画質を実現することができる。
【００６９】
以上、本発明の望ましい実施形態について説明したが、本発明はこれに限定されるのではなく、特許請求の範囲と発明の詳細な説明および添付図の範囲内で多様に変形して実施可能であり、これらも本発明の範囲に属するのは当然である。
【図面の簡単な説明】
【００７０】
【図１】本発明の第１実施形態による発光装置の部分断面図である。
【図２】本発明の第１実施形態による発光装置の電子放出ユニットの部分平面図である。
【図３】図２に示した電子放出素子の拡大斜視図である。
【図４】本発明の第１実施形態による発光装置の電子放出素子および各電子放出素子に対応する蛍光層の発光領域を示した概略図である。
【図５】本発明の第２実施形態による発光装置の部分断面図である。
【図６】本発明の第２実施形態による発光装置の電子放出ユニットの部分平面図である。
【図７】本発明の第２実施形態による発光装置の部分断面図である。
【図８】本発明の第２実施形態による発光装置の部分断面図である。
【図９】本発明の第３実施形態による表示装置の分解斜視図である。
【図１０】図９に示した表示パネルの部分断面図である。
【符号の説明】
【００７１】
１００，１０１    発光装置
１２、１４    基板
１６    真空パネル
１８，１８１    電子放出ユニット
２２，２２１    電子放出素子
２４、２６    電極
２８    電子放出部
２００    表示装置
３０、３２    連結部
３４、３６    配線
３０１、３２１    水平部
３０２、３２２    垂直部
４０    アノード電極
４２    蛍光層
４４    金属反射膜
４６    発光領域
４８    電子放出部
５０    表示パネル
５２    拡散板
５４    薄膜トランジスター
５６    下部基板
５８    カラーフィルター層
６０    上部基板
６２    液晶層
６４、６６    偏光板
６８    画素電極
７０    共通電極
７２    ゲート回路ボードアセンブリー
７４    データ回路ボードアセンブリー
【図１】
2010010120.tif 000003
【図２】
2010010120.tif 000004
【図３】
2010010120.tif 000005
【図４】
2010010120.tif 000006
【図５】
2010010120.tif 000007
【図６】
2010010120.tif 000008
【図７】
2010010120.tif 000009
【図８】
2010010120.tif 000010
【図９】
2010010120.tif 000011
【図１０】
2010010120.tif 000012